(57)【要約】【課題】本発明は、電子機器の使用者の肌接触に基づく電子機器のモードを自動に切り換えるようにして、電子機器の電力消耗を最小化し、かつ、肌接触時において直ぐ動作ができるようにした肌接触に基づく電子機器モード切換装置及び方法に関する。【解決手段】このような本発明は、人の肌接触時に発生する電気を感知する肌接触感知手段と、肌接触感知手段で肌接触が感知されるにより、電子機器装置の電源供給モードを切り換えるためのモード切換信号を出力する論理回路手段と、論理回路手段でモード切換信号が出力されると、電子機器装置の現在の電源供給状態モードを切り換えるモード切換手段とを含むことを特徴とする肌接触に基づく電子機器モード切換装置を提供する。【選択図】 図１
2011139434.tif 000002
【特許請求の範囲】
【請求項１】
人の肌接触時に発生する電気を感知する肌接触感知手段(110)と、
前記肌接触感知手段(110)で肌接触が感知されるにより、電子機器装置(200)の電源供給モードを切り換えるためのモード切換信号を出力する論理回路手段(120)と、
前記論理回路手段(120)で前記モード切換信号が出力されると、前記電子機器装置(200)の現在の電源供給状態モードを切り換えるモード切換手段(130)とを含むことを特徴とする肌接触に基づく電子機器モード切換装置。
【請求項２】
前記肌接触感知手段(110)は、
前記肌接触時に発生する電気によりオン/オフスイッチングされる第１のスイッチング部(Q1)と、前記第１のスイッチング部(Q1)のオン/オフスイッチングにより充・放電する第１のタイマー部(111)とを含むことを特徴とする請求項１に記載の肌接触に基づく電子機器モード切換装置。
【請求項３】
前記論理回路手段(120)は、シュミットトリガー回路とフリップフロップ回路とが順次構成されることを特徴とする請求項１に記載の肌接触に基づく電子機器モード切換装置。
【請求項４】
前記モード切換手段(130)は、
前記論理回路手段(120)のモード切換信号出力によりオン/オフスイッチングされる第２のスイッチング部(Q2)で構成されることを特徴とする請求項１に記載の肌接触に基づく電子機器モード切換装置。
【請求項５】
前記電子機器装置(200)は、前記電源供給モードにより、電源オン状態のモード、 電源オフ状態のモード、又は第１の電力モード及び前記第１の電力モードよりも相対的に高い電力の第２の電力モードのいずれか１つで動作されることを特徴とする請求項１に記載の肌接触に基づく電子機器モード切換装置。
【請求項６】
前記肌接触に基づく電子機器モード切換装置により電源供給モードが切り換えられる電子機器装置(200)は、
デジタルカメラ、アイロン、便座、デジタル腕時計、ポータブルディスプレイ装置、ヘアードライヤー、 真空清掃器、及び扇風機のいずれか１つであることを特徴とする請求項１に記載の肌接触に基づく電子機器モード切換装置。
【請求項７】
前記電子機器モード切換装置は、
前記デジタルカメラにおいては、前記デジタルカメラの使用者の左手が接触する位置に構成され、
前記アイロン、ヘアードライヤー、及び真空清掃器においては、前記アイロン、ヘアードライヤー、及び真空清掃器の取っ手部分に構成され、
前記便座においては、前記便座の上側面に構成され、
前記デジタル腕時計においては、前記デジタル腕時計のうち、使用者の手の甲と接触される部分に構成され、
前記ポータブルディスプレイ装置においては、前記ポータブルディスプレイ装置の外周に構成されるフレームに構成され、
前記扇風機の場合は、前記扇風機のスイッチ部分を除く扇風機本体と前記扇風機羽を保護する保護網とに構成されることを特徴とする請求項６に記載の肌接触に基づく電子機器モード切換装置。
【請求項８】
前記デジタルカメラの使用者の左手が接触する位置と、前記アイロン、ヘアードライヤー、及び真空清掃器の取っ手部分と、前記便座の上側面と、前記デジタル腕時計のうち、使用者の手の甲と接触される部分と、前記ポータブルディスプレイ装置の前記フレームと、前記扇風機本体及び前記扇風機羽を保護する前記保護網とは、伝導性に優れた物質が取り付けられることを特徴とする請求項７に記載の肌接触に基づく電子機器モード切換装置。
【請求項９】
請求項１乃至請求項５のいずれか一項に記載した肌接触に基づく電子機器モード切換装置を用いるモード切換方法であって、
電気により動作する電子機器装置が、動作または待機の第１の状態モードで肌に接触されると、前記電子機器モード切換装置から前記電子機器装置の電源供給モードを変換する電子機器装置モード切換手段に前記電子機器装置の状態モードを切り換えるための信号を出力する段階と、
前記電子機器装置の状態モードが第２の状態モードに進入する段階と、
前記電子機器モード切換装置は、前記肌接触が続けて維持されているかを判断して、前記肌接触が維持されていないと、前記電子機器モード切換装置から前記電子機器装置の前記電子機器装置モード切換手段に前記電子機器装置の状態モードを切り換えるための信号を出力する段階と、
前記電子機器装置が前記第１の状態モードに戻る段階とを含むことを特徴とする電子機器のモード切換方法。
【請求項１０】
前記第１の状態モードは、
前記電子機器装置がデジタルカメラ、アイロン、デジタル腕時計、ポータブルディスプレイ装置、ヘアードライヤー、真空清掃器のいずれか１つの場合、停止状態であり、
前記電子機器装置が扇風機の場合、動作状態であり、
前記電子機器装置が便座の場合、最低温度動作状態モードであり、
前記第２の状態モードは、
前記電子機器装置がデジタルカメラ、アイロン、デジタル腕時計、ポータブルディスプレイ装置、ヘアードライヤー、真空清掃器のいずれか１つの場合、動作状態であり、
前記電子機器装置が扇風機の場合、停止状態であり、
前記電子機器装置が便座の場合、最適温度で動作する動作状態モードであることを特徴とする請求項９に記載の電子機器のモード切換方法。
【請求項１１】
携帯電話機と移動通信網との間の通信を提供する通信モジュール(310)と、
前記通信モジュール(310)を通じて前記移動通信網から着信された呼出しに対して、前記携帯電話機の着信報知モードが、ベル出力モード、振動発生モード、照明発生モード、 無音モード、及び画面出力モードの少なくとも１つに設定されて格納される格納部(320)と、
前記移動通信網から前記呼出しの着信時、肌のタッチを感知するタッチ感知部(330)と、
前記呼出しの着信時、前記格納部(320)に設定された着信報知モードと前記タッチ感知部(330)の感知結果とにより、前記着信報知モードがベル出力モードの状態で前記タッチ感知部(330)で肌のタッチが感知されると、前記ベル出力モードから、前記振動発生モード、照明発生モード、無音モード、及び画面出力の少なくとも１つに切り換えられるように制御する制御部(380)とを含むことを特徴とする呼出し着信時肌接触による着信報知モード切換が可能な携帯電話機。
【請求項１２】
前記携帯電話機は、更に、
前記呼出しの着信時にベルを出力するベル出力部(340)と、
前記呼出しの着信時に振動を出力する振動発生部(350)と、
前記呼出しの着信時に照明を発生する照明発生部(360)と、
前記呼出しの着信時に画面を出力する画面出力部(370)との少なくとも１つを含むことを特徴とする請求項１１に記載の呼出し着信時肌接触による着信報知モード切換が可能な携帯電話機。
【請求項１３】
前記タッチ感知部(330)は、
静電式タッチ感知センサーと、
減圧式タッチ感知センサーと、
人の肌接触時に発生する電気を感知する肌接触感知手段(110)と、前記肌接触感知手段(110)で肌接触が感知されるにより、電子機器装置(200)の電源供給モードを切り換えるためのモード切換信号を出力する論理回路手段(120)と、前記論理回路手段(120)で前記モード切換信号が出力されると、前記電子機器装置(200)の現在の電源供給状態モードを切り換えるモード切換手段(130)とを含んで構成される電子機器モード切換装置(100)の１つから構成されることを特徴とする請求項１１に記載の呼出し着信時肌接触による着信報知モード切換が可能な携帯電話機。
【請求項１４】
前記携帯電話機の表面を構成する筐体には、前記タッチ感知部(330)に前記肌タッチ時、前記肌から発生される電気信号を伝送する金属が蒸着されることを特徴とする請求項１１に記載の呼出し着信時肌接触による着信報知モード切換が可能な携帯電話機。
【請求項１５】
請求項１１に記載の呼出し着信時肌接触による着信報知モード切換が可能な携帯電話機の着信報知モード切換方法であって、
前記携帯電話機で呼出しの着信時、報知モードを設定する段階と、
前記携帯電話機に呼出しが着信されると、前記着信報知モードを検索して、ベル出力モードであると、前記携帯電話機が肌に接触されている状態であるかを判断する段階と、
前記判断結果により、肌接触でないと、ベルを出力する段階と、
前記ベル出力中、前記肌が前記携帯電話機に接触されているか否かを感知する段階と、
前記ベル出力中、前記肌が前記携帯電話機に接触されていると、前記ベル出力を中止し、前記ベル出力モード以外の着信報知モードの１つに切り換える段階とを含むことを特徴とする呼出し着信時肌接触による着信報知モード切換が可能な携帯電話機の着信報知モード自動切換方法。
【請求項１６】
前記携帯電話機が肌に接触されている状態であるかを判断する段階は、
設定時間以上接触されているかを判断することを特徴とする請求項１５に記載の呼出し着信時肌接触による着信報知モード切換が可能な携帯電話機の着信報知モード自動切換方法。
【請求項１７】
前記ベル出力モード以外の着信報知モードの１つは、振動を出力する振動発生モード、 照明を発生する照明発生モード、画面を出力する画面出力モード、及びベル出力なし無音状態を維持する無音モードの少なくとも１つからなることを特徴とする請求項１５に記載の呼出し着信時肌接触による着信報知モード切換が可能な携帯電話機の着信報知モード自動切換方法。
【請求項１８】
前記肌接触が感知され、前記ベル出力モード以外のモードから前記ベル出力モード以外の着信報知モードに自動切換えられた後、設定された時間の間、タイマーを駆動させて、命令語入力を除く肌接触は無視することを特徴とする請求項１５に記載の呼出し着信時肌接触による着信報知モード切換が可能な携帯電話機の着信報知モード自動切換方法。
【発明の詳細な説明】
【技術分野】
【０００１】
本発明は、電子機器モード自動切換に関し、より詳しくは、電子機器の使用者の肌接触に基づいて、電子機器のモードを自動に切り換えられるようにして、電子機器の電力消耗を最小化し、かつ、肌接触時において直ぐ動作するようにする、肌接触に基づく電子機器モード切換装置及びそのモード切換方法、並びに、呼出し着信時の肌接触による着信報知モード切換が可能な携帯電話機及びその着信報知モード自動切換方法に関する。
【背景技術】
【０００２】
一般に、家庭や個人らは、多くの電子機器を使用している。例えば、家庭では、ＴＶ、冷蔵庫、コンピュータ、洗濯機、電子レンジ、アイロン、ヘアードライヤー、ビデ、エアコン、扇風機などの電子機器がある。そして、個人らは、携帯電話機、デジタルカメラ、ＭＰ3、ＰＭＰ、腕時計、ｉ−ＰＡＤなどを所持している。これらの電子機器は、直接的に電源に連結されているか、電源を供給するバッテリーからの電気を供給されて作動する。また、それぞれの電子機器には、電源を供給するためのスイッチが取り付けられ、スイッチをオン/オフすることで電源が供給され、電源が供給されることにより電子機器として動作することになる。この際、通常、製品を使用しない場合は、スイッチを電源オフモードに設定している。 
【０００３】
一方、このような電子機器は、電力消耗を最小化するため、節電型製品として開発するための研究が進行中である。また、使用者も製品を使用しない場合は、電源をオフするか、スイッチ付きコンセントを利用するなど、様々な方法で製品を利用している。 
【０００４】
しかし、このような従来の電力消耗を減らすための技術には、未だ、節電型製品が開発されていない電子機器も多く、スイッチ付きコンセントを利用しても、実際に使用者が利用していないにも拘らず、やたらに電力が消耗する電子機器もある。例として、アイロンの場合、アイロンの使用中、使用者が電話に出るなどの他の動作をしている場合も、アイロンには電源から電力を供給し続け、電力が消耗するなどの問題があった。一方、このような問題とは別に、デジタルカメラの場合、急に重要な場面を撮影しなければならない場合、一旦、電源モードのスイッチをオン状態にすべきであるが、そのような場合、急な重要な場面を逃すなどの問題があった。
【０００５】
換言すると、従来の電子機器の場合は、使用者が実際に使用しない場合にも電力が消耗する問題と、実際に使用者が使用するため、別に電源モードのスイッチをオンにさせるなどの無駄な動作を必要とする問題があった。 
【発明の概要】
【発明が解決しようとする課題】
【０００６】
本発明は、上記のような従来技術の不都合と問題点を解決するためなされたもので、本発明は、電子機器の使用者の肌接触に基づいて電子機器のモードを自動に切り換えられるようにして、電子機器の電力消耗を最小化し、かつ、肌接触時において直ぐ動作するようにする肌接触に基づく電子機器モード切換装置及びそのモード切換方法を提供することにその目的がある。
【課題を解決するための手段】
【０００７】
上記のような目的を達成するための本発明は、人の肌接触時に発生する電気を感知する肌接触感知手段と、肌接触感知手段(110)で肌接触が感知されるにより、電子機器装置の電源供給モードを切り換えるためのモード切換信号を出力する論理回路手段(120)と、論理回路手段(120)でモード切換信号が出力されると、電子機器装置の現在の電源供給状態モードを切り換えるモード切換手段とを含むことを特徴とする肌接触に基づく電子機器モード切換装置を提供する。
【０００８】
また、上記の目的を達成するため、本発明は、電気により動作する電子機器装置が、動作または待機の第１の状態モードで肌に接触されると、電子機器モード切換装置から電子機器装置の電源供給モードを変換する電子機器装置モード切換手段に電子機器装置の状態モードを切り換えるための信号を出力する段階と、電子機器装置の状態モードが第２の状態モードに進入する段階と、電子機器モード切換装置は、肌接触が続けて維持されているかを判断して、肌接触が維持されていないと、電子機器モード切換装置から電子機器装置の電子機器装置モード切換手段に電子機器装置の状態モードを切り換えるための信号を出力する段階と、電子機器装置が第１の状態モードに戻る段階とを含むことを特徴とする肌接触に基づく電子機器モード切換装置のモード切換方法を提供する。
【０００９】
また、上記のような目的を達成するための本発明は、携帯電話機と移動通信網との間の通信を提供する通信モジュールと、通信モジュールを通じて移動通信網から着信された呼出しに対して、携帯電話機の着信報知モードが、ベル出力モード、振動発生モード、照明発生モード、 無音モード、及び画面出力モードの少なくとも１つに設定されて格納される格納部と、移動通信網から呼出しの着信時、肌のタッチを感知するタッチ感知部と、呼出しの着信時、格納部に設定された着信報知モードとタッチ感知部の感知結果とにより、着信報知モードがベル出力モードの状態でタッチ感知部で肌のタッチが感知されると、ベル出力モードから、振動発生モード、照明発生モード、無音モード、及び画面出力の少なくとも１つに切り換えられるように制御する制御部とを含むことを特徴とする呼出し着信の時肌接触による着信報知モード切換が可能な携帯電話機を提供する。
【００１０】
更に、上記の目的を達成するための本発明は、呼出し着信時肌接触による着信報知モード自動切換が可能な携帯電話機の着信報知モード切換方法であって、携帯電話機で呼出しの着信時、報知モードを設定する段階と、携帯電話機に呼出しが着信されると、着信報知モードを検索して、ベル出力モードであると、携帯電話機が肌に接触されている状態であるかを判断する段階と、判断結果により、肌接触でないと、ベルを出力する段階と、ベル出力中、肌が携帯電話機に接触されているか否かを感知する段階と、ベル出力中、肌が携帯電話機に接触されていると、ベル出力を中止し、ベル出力モード以外の着信報知モードの１つに切り換える段階とを含むことを特徴とする呼出し着信時肌接触による着信報知モード自動切換が可能な携帯電話機の着信報知モード自動切換方法を提供する。
【発明の効果】
【００１１】
上記のような本発明によると、以下のような効果がある。
【００１２】
第一に、電子機器装置に使用者の肌が触ることにより、動作、停止、互いに異なる電力レベルの出力が可能であり、電子機器装置をより便利でかつ安全に使用することができる。
【００１３】
第二に、電子機器装置に使用者の肌が触ることにより、動作及び停止が可能であり、電力消耗を最小化することができる。
【図面の簡単な説明】
【００１４】
【図１】本発明による肌接触に基づく電子機器モード切換装置を説明するためのブロック構成図である。
【図２】図１に示す肌接触に基づく電子機器モード切換装置の一実施例を説明するための回路図である。
【図３】本発明による肌接触に基づく電子機器モード切換装置を適用した第１の実施例を説明するためのブロック構成図である。
【図４】本発明による肌接触に基づく電子機器モード切換装置を適用した第２の実施例を説明するためのブロック構成図である。
【図５】本発明による肌接触に基づく電子機器モード切換装置を適用した第３の実施例を説明するためのブロック構成図である。
【図６】本発明による肌接触に基づく電子機器モード切換装置を適用した第４の 実施例を説明するためのブロック構成図である。
【図７】本発明による肌接触に基づく電子機器モード切換装置を適用した第５の実施例を説明するためのブロック構成図である。
【図８】本発明による肌接触に基づく電子機器モード切換装置を適用した第６の 実施例を説明するためのブロック構成図である。
【図９】本発明による肌接触に基づく電子機器モード切換方法を説明するためのフローチャートである。
【図１０】本発明による呼出し着信時、肌接触による着信報知モード切換が可能な携帯電話機を説明するためのブロック構成図である。
【図１１】本発明の第１の実施例による携帯電話機に伝導性物質を形成した状態を説明するための図である。
【図１２】本発明の第２の実施例による携帯電話機に伝導性物質を形成した状態を説明するための図である。
【図１３】本発明による呼出し着信時、肌接触による着信報知モード自動切換方法を説明するためのフローチャートである。
【発明を実施するための形態】
【００１５】
以下、 添付の図面を参照して、本発明の好適な実施例を詳細に説明する。
また、実施例を説明することにおいて、本発明が属する技術分野においてよく知られており、本発明と直接的に関連のない技術内容については、説明を省略する。これは、不要な説明を省略することで、本発明の要旨を逸脱することなく、更に明確に伝達するためである。
【００１６】
図１は、本発明による肌接触に基づく電子機器モード切換装置を説明するためのブロック構成図である。本発明による肌接触に基づく電子機器モード切換装置１００は、図１に示すように、肌接触感知手段１１０と、論理回路手段１２０と、モード切換手段１３０とから構成される。ここで、肌接触感知手段１１０は、人の肌接触時に発生する電気を感知して、論理回路手段１２０に伝送する。そして、論理回路手段１２０は、肌接触感知手段１１０で肌接触が感知されると、電子機器の電源供給モードを切り換えるための信号を出力する。すると、モード切換手段１３０は、電子機器装置２００の現在の電源モードを切り換える。例えば、電子機器装置２００の現在の電源モードが電源オンの状態であると、電源オフの状態に切り換え、電源オフの状態であると、電源オンの状態に切り換える。
【００１７】
図２は、図１に示す肌接触に基づく電子機器モード切換装置の一実施例を説明するための回路図であり、肌接触感知回路で構成される肌接触感知手段１１０と、論理回路で構成される論理手段１２０と、モード切換回路で構成されるモード切換手段１３０とから構成される。ここで、肌接触感知手段１１０は、肌接触によりオン/オフスイッチングする第１のスイッチング部Ｑ１と、タイマー部１１１とを含む。  ここで、第１のスイッチング部Ｑ１は、肌接触の入力端(ＩＮ)に直列連結された第１〜第２の抵抗Ｒ１、Ｒ２の出力端に、ベースが連結される。そして、第１のスイッチング部Ｑ１のエミッタは、内部電源(１２ｖ)に連結される。また、第１のスイッチング部Ｑ１のコレクタは、第１のダイオードＤ１のアノードに連結される。一方、内部電源(１２ｖ)には、第３及び第４の抵抗Ｒ３、Ｒ４が直列連結され、第４の抵抗Ｒ４の出力端は、第１のスイッチング部Ｑ１のベースと第２の抵抗Ｒ２との間に連結される。そして、第１のダイオードＤ１のカソードは、第５の抵抗Ｒ５の一端と、第１のキャパシタＣ１の一端と、第６の抵抗Ｒ６の一端とに連結され、第５の抵抗Ｒ５の他端と第１のキャパシタＣ１の他端とはそれぞれ、接地される。また、第５の抵抗Ｒ５と第１のキャパシタＣ１とは並列構成されて、タイマー部１１１を構成する。そして、第６の抵抗Ｒ６の他端は、論理回路手段１２０の入力端に連結される。このような回路構成により、人の肌が電子機器モード切換装置１００に触ると、人から放電される電気により肌接触入力端(ＩＮ)に放電することで、第１のスイッチング部Ｑ１がオンになる。換言すると、人の肌が電子機器モード切換装置１００に触ると、人の容量により、微細ではあるが、第１のスイッチング部Ｑ１をオンにすることができるベース入力電圧が発生される。
【００１８】
論理回路手段１２０は、第１の論理回路部１２１と、第２の論理回路部１２２とから構成することができる。ここで、第１の論理回路部１２１のＲピンには内部電源が連結され、Ｓピンは、肌接触感知手段１１０の出力を入力される。そして、第１の論理回路部１２１のＱピンは、フリップフロップ回路１２２のＣＬＫ端に連結される。一方、第１の論理回路部１２１のＣＬＫピンとＤピンとは接地に連結され、Ｑバー（反転Ｑ）ピンは開放される。そして、第１の論理回路部１２１のＳピンとＱピンとの間には、第７の抵抗Ｒ７及び第２のキャパシタＣ２が並列構成される。即ち、時定数回路を構成している。そして、第２の論理回路部１２２のＣＬＫピンは、第１の論理回路部１２１のＱピンに連結され、第２の論理回路部１２２のＱピンは、モード切換手段１３０に連結される。一方、第２の論理回路部１２２のＤピンとＱバー（反転Ｑ）ピンとは短絡し、Ｒピンは、接地に連結される。また、第２の論理回路部１２２のＲピンは、第３のキャパシタＣ３の一端と、第２のダイオードＤ２のカソードと、第８の抵抗Ｒ８の一端とに連結される。この時、第８の抵抗Ｒ８の他端と第２のダイオードＤ２のアノードとは接地に連結され、第８の抵抗Ｒ８と第２のダイオードＤ２とは並列連結される。 一方、第３のキャパシタＣ３の他端は、内部電源(１２Ｖ)に連結される。ここで、第１の論理回路部１２１は、ノイズマージンが高くて、安定した特性を得るためのシュミットトリガー回路で構成し、第２の論理回路部１２２は、第１の論理回路部１２１の出力値により順次出力が可能なフリップフロップ回路で構成することができる。
【００１９】
モード切換手段１３０は、論理回路手段１２０の出力をベースに入力される第２のスイッチング部Ｑ２で構成される。ここで、論理回路手段１２０の出力端と第２のスイッチング部Ｑ２のベースとの間には、第９の抵抗Ｒ９が直列連結され、第９の抵抗Ｒ９の一端と接地との間に第１０の抵抗Ｒ１０が連結される。一方、第２のスイッチング部Ｑ２のコレクタには、第１１の抵抗Ｒ１１の一端が連結され、第１１の抵抗Ｒ１１の他端には、電子機器装置２００が連結され、第２のスイッチング部Ｑ２のエミッタは、接地に連結される。したがって、第２のスイッチング部Ｑ２がオン/オフすることにより、電子機器装置モード切換手段２１０のモードも切り換えられるようにする。
【００２０】
このような本発明の一実施例による肌接触に基づく電子機器モード切換装置回路の動作を説明すると、まず、肌接触感知手段１１０に人の肌(例えば、手の甲、手の平、指など)が触ると、肌から放電する電気により、肌接触感知手段１１０の第１のスイッチング部Ｑ１が'Ｏｎ' 状態でオンとなる。第１のスイッチング部Ｑ１がオンになることで、第５の抵抗Ｒ５と第１のキャパシタＣ１とから構成されているタイマー部１１１が充電を開始する。そして、設定された時定数値により、一定時間の経過後に充電が完了すると、論理回路手段１２０の第１の論理回路部１２１のＳ端(S Input pin)(pin 6)に論理レベル(Logic level)'１'信号が入力される。
【００２１】
一方、第１の論理回路部１２１のＳピンに信号'１'が入力されることで、出力ピンであるＱピン(Output pin)(pin１)から論理ハイ信号である'１'が出力される。 このような第１の論理回路部１２１の論理ハイ信号が第２の論理回路部１２２の ＣＬＫピン(CLK Pin 11)に入力される。そして、第２の論理回路部１２２のＱピン(Output pin)(pin 13)も、論理ハイ信号である'１'が出力され、モード切換手段１３０に入力される。
【００２２】
モード切換手段１３０の第２のスイッチング部Ｑ２は、論理回路手段１２０から論理ハイ信号が出力されるにより、'Ｏｎ'状態でオンとなる。これにより、第１１の抵抗Ｒ１１に連結された電子機器装置２００のモードが切り換えられる。
次いで、肌接触感知手段１１０に人の肌(例えば、手)が触らないと、肌接触感知手段１１０の第１のスイッチング部Ｑ１がオフ状態でオフとなる。第１のスイッチング部Ｑ１がオンとなることで、第５の抵抗Ｒ５と第１のキャパシタＣ１とから構成されているタイマー部１１１が放電を開始する。そして、設定された時定数値により、放電が完了すると、論理回路手段１２０の第１の論理回路部１２１のＳピン(S Input pin)(pin６)に論理レベル(Logic level)'０'信号が入力される。
【００２３】
一方、第１の論理回路部１２１のＳピンに信号'０'が入力されることで、出力ピンであるＱピン(pin１)で論理ロウ信号である'０'が出力される。このような第１の論理回路部１２１の論理ロウ信号が第２の論理回路部１２２のＣＬＫピン(Pin 11)に入力される。そして、第２の論理回路部１２２のＱピン(pin13)からも、論理ロウ信号である'０'が出力され、モード切換手段１３０に入力される。
【００２４】
モード切換手段１３０の第２のスイッチング部Ｑ２は、論理回路手段１２０から論理ロウが出力されることにより、オフ状態でオフとなる。それにより、第１１の抵抗Ｒ１１に連結された電子機器装置２００内のモード切換のための電子機器装置モード切換手段２１０のモードが更に切り換えられる。このような電子機器装置２００のモード切換は、電子機器の種類により、電源モードがオン/オフに切り換えられるか、動作モードが変わる。このような動作モードの切換は、携帯電話機の場合、ベル/マナーモード自動切換などがある。
【００２５】
ここで、肌接触感知手段１１０のタイマー部１１１を構成する第５の抵抗Ｒ５のレジスタンス(resistance)と第１のキャパシタＣ１のキャパシタンスとを調節することにより、電子機器装置２００内の電子機器装置モード切換手段２１０のモードが切り換えられる時間を調節することができる。このような調節時間は、電子機器の種類や製品仕様により様々に設定することができる。例えば、低電力電子機器の場合は、高電力電子機器に比べて、電力変換に対する負荷が相対的に少なくかかるので、モード切換時に相対的に速く切り換えられるように、タイマー部１１１を構成することができる。
【００２６】
一方、このような肌接触に基づく電子機器モード切換装置の一実施例を説明するための回路図は、説明の便宜のためのもので、該当電子機器の制御モジュールに対する半導体回路で構成されることが好適である。
【００２７】
図３は、本発明による肌接触に基づく電子機器モード切換装置を適用した第１の 実施例を説明するためのブロック構成図である。本発明による肌接触に基づく電子機器モード切換装置を適用した第１の実施例は、例えば、デジタルカメラに適用した場合である。このような本の発明による肌接触に基づく電子機器モード切換装置がデジタルカメラに適用された場合、該当電子機器２００は、電子機器装置モード切換手段２１０と、電源供給手段２２０と、シャッター駆動手段２３０とから構成される。ここで、電源供給手段２２０はバッテリーであり、電子機器装置モード切換手段２１０は、デジタルカメラのカメラシャッターを駆動するシャッター駆動手段２３０により、電源供給手段２２０の電源供給をオン/オフする電源スイッチである。
【００２８】
一般に、デジタルカメラは、写真を撮るため電源スイッチをオンにしなければならない。この時、デジタルカメラは、主に、携帯のため、製品の特性上、駆動電源としてバッテリーを用いるので、使用者は、通常、電源をオフ状態にしてバッテリー電源の消耗を防止する。そして、写真を撮る時点で電源スイッチを操作して電源をオンした後、シャッターを駆動して写真を撮る。しかし、写真を撮る度に、電源スイッチを操作して電源をオンにしなければならない不便さがあることは勿論、電源スイッチをオンする瞬間、シャッター駆動機会を逃すこともあるという問題があった。
【００２９】
したがって、電子機器装置モード切換手段２１０のスイッチングを、電子機器モード切換装置１００により自動オンさせる場合、そのような不便さや不都合を解決することができる。これを詳しく説明すると、一般に、デジタルカメラのシャッターは、製品の右上側に位置しており、デジタルカメラ本体を手から離しもて、底に落とさないように、デジタルカメラの右側にストラップが構成され、右側手首や手の平などに嵌めている。そして、デジタルカメラの使用者は、自分の両手でカメラを握って、ビューファインダーや液晶モニターを見ながらシャッターを駆動することになる。従って、図１〜図２に示す本発明の電子機器モード切換装置１００を、デジタルカメラ本体のうち、使用者が写真を撮影するため左手で握る部分の表面に構成すると、使用者の左手が触る瞬間、デジタルカメラを自動オンさせることができる。この時、使用者の左手が触る部分は、デジタルカメラにより、及び実験や現場経験により様々に設定することができる。また、使用者の左手がデジタルカメラから離れると、電子機器装置モード切換手段２１０のスイッチングを電子機器モード切換装置１００で自動オフさせる。それで、使用者は、左手をデジタルカメラに当てる瞬間、自動オンになり、左手をデジタルカメラから離す場合、自動オフになるので、デジタルカメラをより便利に使用することができる。また、デジタルカメラのスイッチをオンする別の動作により、撮影機会を逃すことなく、より多く確保することができる。
【００３０】
図４は、本発明による肌接触に基づく電子機器モード切換装置を適用した第２の実施例を説明するためのブロック構成図である。本発明による肌接触に基づく電子機器モード切換装置を適用した第２の実施例は、例えば、アイロンに適用した場合である。このような本発明による肌接触に基づく電子機器モード切換装置がアイロンに適用された場合、該当電子機器２００は、電子機器装置モード切換手段２１０と、電源供給手段２２０と、発熱板手段２４０とから構成される。ここで、 電源供給手段２２０は、交流電源またはバッテリーであり、電子機器装置モード切換手段２１０は、アイロンの発熱板手段２４０に電源供給手段２２０の電源供給をオン/オフする電源スイッチである。
【００３１】
一般に、主婦の場合、アイロンを使用してから外出すると、アイロンの電源をオフにしたか否かについて頻繁に悩むことになる。勿論、コンセントからプラグを抜いたら、問題はないが、プラグを抜いたかさえ確実に分からないと、そのような悩みは更に大きくなる。このような問題は、不要な電力消耗のみならず、大電力を消耗するアイロンの特性上、火事につながることがあり、更に大きい問題となる。一方、外出とは別に、使用者がアイロンを使用している途中、電話や他の急な事が生じて、アイロンを立てたまま、しばらく他の事をしても、電力は消耗し続ける。また、使用者がアイロンを立てたまま、他の業務をしている途中、子供や他の大人が不注意にアイロンの発熱板に手や足などの身体一部分が触ることがあり、更には、アイロンを倒す場合、身体損傷はもちろん、火事につながるという問題もあった。
【００３２】
従って、電子機器装置モード切換手段２１０のスイッチングを、電子機器モード切換装置１００により自動オン/オフさせると、それらの問題を解決することができる。これを詳しく説明すると、一般にアイロンは、使用者が希望する温度により電力が供給される。したがって、図１〜図２に示す本発明の電子機器モード切換装置１００をアイロン本体のうち、使用者が手で握る取っ手部分の表面に構成すると、使用者の肌が接触する瞬間、アイロンの発熱板手段２４０に電源が供給されるようにすることができる。この時、使用者の肌に触る部分は、アイロンにより、及び実験や現場経験によって、取っ手の上面と下面と両側面のうち１つ以上の面に選択的に形成することができる。また、使用者の手がアイロンの取っ手から離れると、電子機器装置モード切換手段２１０のスイッチングを、電子機器モード切換装置１００により自動オフさせる。換言すると、使用者が手でアイロンの取っ手を握っている瞬間、自動オンになり、しばらく他の仕事をするか、急に他の事をするため、手をアイロンの取っ手から離れる場合には自動オフになるので、アイロンをより便利でかつ安全に使用することができる。
【００３３】
図５は、本発明による肌接触に基づく電子機器モード切換装置を適用した第３の実施例を説明するためのブロック構成図である。本発明による肌接触に基づく電子機器モード切換装置を適用した第３の実施例は、例えば、便座(toilet seat)に適用した場合である。このような本発明による肌接触に基づく電子機器モード切換装置が便座に適用された場合、該当電子機器２００は、電子機器装置モード切換手段２１０と、電源供給手段２２０と、便座発熱手段２５０とから構成される。ここで、電源供給手段２２０は、交流電源であり、電子機器装置モード切換手段２１０は、便座発熱手段２５０に、電源供給手段２２０の電源供給を低電力の第１の電力と、第１の電力よりも相対的に高電力の第２の電力のいずれかの電力で供給されるようにスイッチングする電源スイッチである。
【００３４】
例えば、電子機器装置モード切換手段２１０のスイッチングを、電子機器モード切換装置１００により、最低温度の第１の電力と、第１の電力よりも相対的に高い最適温度の第２の電力とのいずれかに供給させる。ここで、最低温度とは、人の肌が冷たさを感じない程度の温度であり、最適温度とは、人の肌が暖かさを感じる程度の温度と定義することができる。このような最低及び最適温度は、現場経験や実験又は既存のデータを用いることができ、また、最低及び最適温度は、季節別に異にして設定されるのが好適である。換言すると、夏には、冬よりも低い温度に設定され、冬には、夏と比較して相対的に高い温度に設定される。
【００３５】
また、第１の電力は、電力を最低電力で供給するようにし、第２の電力は、最適温度で供給するようにする。特に、夏のような場合は、第１の電力を機器作動のための最低供給電力に設定して、通常は、第１の電力を供給し、使用者が着席する場合は、最適温度のための第２の電力が供給されるように、電子機器モード切換装置１００がスイッチングされる。そして、使用済み後は、最低電力供給のための第１の電力が供給されるように、電子機器モード切換装置１００がスイッチングされる。
【００３６】
まず、図１〜図２に示す本発明の電子機器モード切換装置１００を便座のうち、使用者の肌が触れる部分の表面に構成すると、通常は、最低温度である第１の電力が便座発熱手段２５０に供給されるようにする。そして、使用者の肌が接触する場合、電子機器モード切換装置１００が、電子機器装置モード切換手段２１０が便座の便座発熱手段２５０に最適温度である第２の電力を供給するようにスイッチングする。この時、使用者の肌が接触する部分は、便座や使用者(一般の男女大人、 子供、老弱者、障害者)により、そして、実験や現場経験により、様々な位置に設定される。
【００３７】
図６は、本発明による肌接触に基づく電子機器モード切換装置を適用した第４の実施例を説明するためのブロック構成図である。本発明による肌接触に基づく電子機器モード切換装置を適用した第４の実施例は、例えば、デジタル腕時計、ｉ−ＰＡＤや、ポータブルマルチメディアプレイヤー(PMP)のようなポータブルディスプレイ装置に適用した場合である。このような本発明による肌接触に基づく電子機器モード切換装置が、デジタル腕時計やポータブルマルチメディアディスプレイ装置などに適用された場合、該当電子機器２００は、電子機器装置モード切換手段２１０と、電源供給手段２２０と、ディスプレイ手段２６０から構成される。ここで、 電源供給手段２２０はバッテリーであり、電子機器装置モード切換手段２１０は、デジタル腕時計やポータブルディスプレイ装置のディスプレイ手段２６０に電源供給手段２２０の電源供給をオン/オフする電源スイッチである。
【００３８】
一般に、デジタル腕時計は手首につけ、必要により腕時計のディスプレイ装置に表示される時間を見、ポータブルディスプレイ装置は、使用者が手で握りながらディスプレイ手段を見る。この時、デジタル腕時計の場合、就寝やシャワーをする場合は、手首からはずしておく。従って、使用者が手首からデジタル腕時計をはずすことを感知して、人の肌が認識されないと、ディスプレイ手段２６０に電力が供給しないようにする。また、ｉ−ＰＡＤやポータブルマルチメディアプレイヤーのようなポータブルディスプレイ装置の場合、ディスプレイ装置の外周のフレームを手で握っている場合は、ディスプレイ手段２６０に電源供給手段２２０の電源を供給する。しかし、ディスプレイ装置の外周のフレームを手で握っていない場合は、ディスプレイ手段２６０に電源供給手段２２０の電源が供給しないようにする。勿論、ポータブルディスプレイ装置の場合は、使用者がポータブルディスプレイ装置を机や膝などに乗せて使用可能であるように、別のスイッチを構成することもできる。この時、デジタル腕時計の場合、使用者の肌が接触する部分がディスプレイ手段２６０の裏面であるので、電子機器モード切換装置１００を該当デジタル腕時計の裏面に構成する。そして、ｉ−ＰＡＤやポータブルマルチメディアプレイヤーのようなポータブルディスプレイ装置の場合、ディスプレイ装置の外周フレームのうち、実験や現場経験により、使用者が握りやすい地点に電子機器モード切換装置１００を構成する。
【００３９】
図７は、本発明による肌接触に基づく電子機器モード切換装置を適用した第５の実施例を説明するためのブロック構成図である。本発明による肌接触に基づく電子機器モード切換装置を適用した第５の実施例は、例えば、ヘアードライヤーに適用した場合である。このような本発明による肌接触に基づく電子機器モード切換装置がヘアードライヤーに適用された場合、該当電子機器２００は、電子機器装置モード切換手段２１０と、電源供給手段２２０と、発熱/送風手段２７０とから構成される。ここで、電源供給手段２２０は、交流電源やバッテリーであり、電子機器装置モード切換手段２１０は、ヘアードライヤーの発熱/送風手段２７０に電源供給手段２２０の電源供給をオン/オフする電源スイッチである。
【００４０】
一般に、ヘアードライヤーは、高電力電子機器の１つであって、シャンプー後、ヘアー乾燥は勿論、ヘアーを多様なスタイルに演出することに用いられている。このようなヘアードライヤーも、別の電源スイッチをオンにしなければならない。この時、ヘアードライヤーを使用している途中、ヘアードライヤーをしばらく降ろす場合、いちいちに電源スイッチのオン/オフを繰り返すことがうるさく、電源オン状態を維持しながらヘアースタイルを演出するため、多くの電力を消耗することになる。特に、最近は、ヘアードライヤー電源としてバッテリーを採用する無線ヘアードライヤーの登場のため、使い勝手のよい製品も発売されており、そのような無線ヘアードライヤーの場合、不要な電力消耗を最小化しなければならない。
【００４１】
従って、ヘアードライヤー本体に内蔵される電子機器装置モード切換手段２１０のスイッチングを電子機器モード切換装置１００により自動オンさせる場合、そのような不便さや問題を解決することができる。これを詳しく説明すると、ヘアードライヤーは基本的に、オフ、送風、低出力及び高出力モードなどのような様々な段階に出力するためのスイッチが、ヘアードライヤーの取っ手部分に設けられている。そして、使用者は、該当スイッチを操作して、送風、低出力及び高出力のいずれかのモードでヘアーを手入れする。この時、使用者がヘアードライヤーのスイッチを、送風、低出力及び高出力モードのいずれかのモードで手入れしている途中、ブラシを捜すか、 電話に出るなどの動作により、ヘアードライヤーを手から離すことがある。従って、図１〜図２に示す本発明の電子機器モード切換装置１００をヘアードライヤー本体の取っ手部分に構成すると、使用者の肌が取っ手から離れる瞬間、ヘアードライヤーが自動オフになるようにすることができる。また、使用者が再度ヘアードライヤーの取っ手を手で握ると、電子機器装置モード切換手段２１０のスイッチングを電子機器モード切換装置１００により自動オンさせる。それで、使用者は、ヘアードライヤーをより便利に使用することができる。
【００４２】
図８は、本発明による肌接触に基づく電子機器モード切換装置を適用した第６の実施例を説明するためのブロック構成図である。本発明による肌接触に基づく電子機器モード切換装置を適用した第６の実施例は、例えば、真空清掃器、扇風機などに適用した場合である。このような本発明による肌接触に基づく電子機器モード切換装置が真空清掃機や扇風機に適用された場合、該当電子機器２００は、電子機器装置モード切換手段２１０と、電源供給手段２２０と、モータ手段２８０とから構成される。ここで、電源供給手段２２０は、交流電源やバッテリーであり、電子機器装置モード切換手段２１０は、清掃機や扇風機のモータ手段２８０に電源供給手段２２０の電源供給をオン/オフする電源スイッチである。
【００４３】
一般に、真空清掃機や扇風機は、モータで動作される。このような真空清掃機や扇風機も、一般に、別の電源スイッチをオンにしなければならない。この時、真空清掃機をしばらく降ろす場合、いちいちに電源スイッチのオン/オフを繰り返すことがうるさく、電源オン状態を維持しながら他の仕事をするため、電力を消耗することになる。特に、小型の無線真空清掃機の場合、電源としてバッテリーを採用しているが、そのような無線真空清掃機の場合、使用中にバッテリーが放電することがあるので、プラグがコンセントに直接連結された有線真空清掃機よりも電力を効率よく使用する必要がある。 
【００４４】
したがって、真空清掃器本体に内蔵する電子機器装置モード切換手段２１０のスイッチングを、電子機器モード切換装置１００により自動オン/オフさせると、そのような不便さや問題を解決することができる。これを詳しく説明すると、真空清掃器は、基本的に、電源オフモードでスライド方式により低出力から高出力モードに動作されるためのスイッチが、真空清掃器の取っ手部分に設けられている。そして、使用者は、該当スイッチを操作して掃除を行う。この時、掃除途中、使用者が玄関門を開くか、電話に出るなどの動作により、真空清掃器を手からは放すことがある。したがって、図１〜図２に示す本発明の電子機器モード切換装置１００を真空清掃器本体の取って部分に構成すると、使用者の肌が取っ手から離れる瞬間、真空清掃器を自動オフにすることができる。また、使用者が再度真空清掃器の取っ手を手で握ると、電子機器装置モード切換手段２１０のスイッチングを電子機器モード切換装置１００により自動オンさせる。それで、使用者は、真空清掃器をより便利に使用することができ、電力消耗も最小化することができる。
【００４５】
一方、扇風機の場合は、スイッチが構成されたスタンド、羽(ファン)、モータ、 保護網、及び揺動装置から構成される。このような扇風機は、スイッチを通じてモータが駆動され、羽を回転させる。この時、扇風機は、比較的低電力を消耗する製品であるが、暑い気候には長時間つけて置くという特徴と、羽により人がけがをすることがあるという特徴がある。換言すると、扇風機のモータで回転し続けることにより回転する羽に、子供だけでなく、大人も指などに損傷を被ることがあるということである。特に、乳児や、不注意な子供の場合は、指に致命的な損傷を受けることもある。
【００４６】
したがって、扇風機本体に内蔵する電子機器装置モード切換手段２１０のスイッチングを、電子機器モード切換装置１００により自動オンさせると、そのような不便さや問題を解決することができる。これを詳しく説明すると、扇風機は、基本的に一旦スイッチをオンすると、タイマーにより自動オフになるまで、持続的に動作する特性がある。この時、乳児や子供または大人が不注意に扇風機に近付いて扇風機の保護網の間に指などが入ることがある。従って、図１〜図２に示す本発明の電子機器モード切換装置１００を、扇風機本体のスイッチを除く扇風機本体の前面と保護網とから構成すると、人の肌が扇風機本体に触れるか、保護網に触れる瞬間、扇風機が自動オフになるようにすることができる。特に、乳児や子供が扇風機に近づけながら、扇風機本体に肌や手が触れると、自動オフさせることで、扇風機の羽からより安全に保護することができる。また、人の肌が扇風機本体、または保護網から離れると、電子機器装置モード切換手段２１０のスイッチングを電子機器モード切換装置１００により自動オンさせる。それで、使用者は、扇風機をより安全に使用することができる。
【００４７】
一方、本発明による肌接触に基づく電子機器モード切換装置においては、電子機器モード切換装置１００の肌接触感知手段１１０で、人から発生される電気をより容易に感知することが有利である。このため、電子機器装置２００の表面ケースに伝導性に優れた物質、例えば、アルミニウムなどの金属が蒸着されるのが望ましい。例えば、電子機器装置２００がデジタルカメラの場合、デジタルカメラの使用者の左手が接触する位置に伝導性に優れた物質を形成する。そして、アイロン、 ヘアードライヤー、及び真空清掃器の場合は、取っ手部分に伝導性に優れた物質を形成する。一方、便座では、便座の上側面に伝導性に優れた物質を形成する。また、 デジタル腕時計では、使用者の手の甲と接触する部分に伝導性に優れた物質を形成する。 そして、ポータブルディスプレイ装置では、ポータブルディスプレイ装置の外郭に構成されるフレームを、伝導性に優れた物質で構成する。 
【００４８】
図９は、本発明による肌接触に基づく電子機器モード切換方法を説明するためのフローチャートである。本発明による肌接触に基づく電子機器モード切換方法は、図９に示すように、電気により動作される電子機器装置は、第１の状態モードで待機または動作のいずれかの状態モードにある(S110)。ここで、電子機器装置２００の例としては、デジタルカメラ、アイロン、便座、デジタル腕時計、ポータブルディスプレイ装置、ヘアードライヤー、真空清掃器、及び扇風機などがある。この時、第１の状態モードが待機中の電子機器装置は、肌に接触される場合に動作を開始する電子機器装置として、デジタルカメラ、アイロン、デジタル腕時計、ポータブルディスプレイ装置、ヘアードライヤー、真空清掃器などがある。そして、第１の状態モードが動作中の電子機器装置は、肌に接触される場合に動作が停止される電子機器装置として、扇風機がある。一方、例外的な電子機器装置として、便座の場合は、第１の状態モードが最低温度で待機するようにする。
【００４９】
電子機器モード切換装置２００は、肌が接触しているか否かを判断する(S130)。ここで、肌が接触しているか否かは、人の肌から電気が放電する場合、肌に接触していると判断する。
【００５０】
判断結果(S130)、肌に接触していると、タイマー部１１１を通じて充電され始め、 充電が完了したかを判断する(S150)。
【００５１】
判断結果(S150)、充電が完了したら、使用者が電子機器装置２００を使用し始めるか、電子機器装置による危険に晒した状態のいずれかの状態であるので、電子機器自動モード切換装置１００から電子機器装置２００の電子機器装置モード切換手段２１０に、電子機器装置の状態モードを切り換えるための信号を出力する(S170)。
【００５２】
それにより、電子機器装置２００の状態モードが第２の状態モードに進む(S190)。この時、第１の状態モードが待機中のデジタルカメラ、アイロン、デジタル腕時計、ポータブルディスプレイ装置、ヘアードライヤー、真空清掃器などは、第２の状態モードで動作し始める。そして、第１の状態モードが動作中の扇風機は、動作を停止する第２の状態モードで待機する。一方、便座の場合は、第１の状態モードが最低温度で動作中であるので、第２の状態モードでは、最適温度で動作する。
【００５３】
このような状態で電子機器モード切換装置２００は、肌接触が続けて維持しているかを判断する(S210)。ここで、肌接触の維持とは、人の肌から続けて電気が放電中であるかを判断することであり、肌から離れると、更に肌から電気が放電しない。
【００５４】
判断結果(S210)、肌接触が維持していないと、タイマー部１１１を通じて放電が完了したかを判断する(S230)。
【００５５】
判断結果(S230)、放電が完了したら、電子機器装置２００の使用停止、 中止、安全状態への復帰のいずれかの状態であるので、使用者は、電子機器自動モード切換装置１００から電子機器装置２００の電子機器装置モード切換手段２１０に、電子機器装置の状態モードを切り換えるための信号を出力する(S250)。
【００５６】
それにより、電子機器装置は、第１の状態モードに戻る(S270)。
【００５７】
図１０は、本発明による呼出し着信時、肌接触による着信報知モード切換が可能な携帯電話機を説明するためのブロック構成図である。本発明による呼出し着信時、肌接触による着信報知モード切換が可能な携帯電話機は、図１０に示すように、通信モジュール３１０と、格納部３２０と、タッチ感知部３３０と、ベル出力部３４０と、振動発生部３５０と、照明発生部３６０と、画面出力部３７０と、制御部３８０と、タイマー部３９０とから構成される。
【００５８】
ここで、通信モジュール３１０は、本発明の携帯電話機と携帯電話機の移動通信を提供する移動通信網間の通信ができるようにした送受信部で構成される。
【００５９】
格納部３２０は、通信モジュール３１０により、移動通信網から着信された呼出しに対して、上記携帯電話機の着信報知モードが、ベル出力モード、振動発生モード、照明発生モード、無音モード、及び画面出力モードの少なくともいずれか１一つに設定された場合、該当モードが格納される。
【００６０】
タッチ感知部３３０は、移動通信ネットワークから携帯電話機に呼出しが着信する場合、使用者を含む人体肌のタッチを感知する。このようなタッチ感知部３３０では、静電式タッチ感知センサーと減圧式タッチ感知センサの１つで構成するか、図１及び図２に示すような電子機器モード切換装置で構成することができる。
【００６１】
ベル出力部３４０は、移動通信網から携帯電話機への呼出しの着信時、着信報知モードがベル出力モードの場合にベル音を出力する。
【００６２】
振動発生部３５０は、移動通信網から携帯電話機への呼出しの着信時、振動発生モードの場合に振動を出力する。
【００６３】
照明発生部３６０は、移動通信網から携帯電話機への呼出しの着信時、照明を発生する。このような照明は、ＬＥＤ照明で構成することができる。
【００６４】
画面出力部３７０は、移動通信網から携帯電話機への呼出しの着信時、画面を出力する。このような照明は、一般に、携帯電話機のディスプレイ部は、電源消耗を節約するために設定時間の後、自動オフになるが、該当ディスプレイ部が自動オンになるようにすることで、例えば、着信呼出しを報知する文字又はシンボルなどがディスプレイするようにすることができる。
【００６５】
制御部３８０は、移動通信網から携帯電話機への呼出しの着信時、格納部３１０に設定された着信報知モードとタッチ感知部３３０の感知結果とを判断する。そして、判断結果により、着信報知モードがベル出力モードの状態で、タッチ感知部３３０により使用者を含む人体の肌のタッチが感知されたかを判断する。そのような判断結果により、ベル出力モードから、振動発生モード、照明発生モード、無音モード、及び画面出力の少なくとも１つに自動切り換えられるように制御する。
【００６６】
一方、タッチ感知部３３０で、図１及び図２に示したような電子機器モード切換装置１００を構成する場合、電子機器装置２００内の電子機器装置モード切換手段２１０の機能を制御部３８０で行うようにする。
【００６７】
このような本発明の携帯電話機においては、人体肌が携帯電話機にタッチされることをより容易に感知するために、携帯電話機の表面を構成するケースに肌タッチ時、肌から発生される電気信号をタッチ感知部３３０に容易に伝送するようにする物質、 例えば、アルミニウムなどの金属が蒸着されることが望ましい。
【００６８】
これを添付の図面図１１及び図１２を参照して説明することにする。
【００６９】
図１１は、本発明の第１の実施例による携帯電話機に伝導性物質を形成した状態を説明するための図である。本発明の第１の実施例による携帯電話機に伝導性物質を形成した状態は、図１１に示すように、携帯電話機４００の外周面のうち、携帯電話機ケースが接合される部位に金属板４１０を帯状に囲んだ状態を示している。
【００７０】
図１２は、本発明の第２の実施例による携帯電話機に伝導性物質を形成した状態を説明するための図である。本発明の第２の実施例による携帯電話機に伝導性物質を形成した状態は、図１２に示したように、携帯電話機ケース４２０の外周面に金属薄膜４３０をＰＶＤ(physical vapor deposition；物理蒸着法)を用いて蒸着することができる。
【００７１】
このように図１１又は図１２でのように、携帯電話機のケースが接着される部分や、外周面に金属板４１０を形成するか、金属薄膜４３０を蒸着する場合、人体の肌から発生される電気信号をタッチ感知部３３０でより容易に感知することができるという効果がある。
【００７２】
図１３は、本発明による呼出し着信時、肌接触による着信報知モード自動切換えが可能な携帯電話機の着信報知モード自動切換方法を説明するためのフローチャートである。本発明による呼出し着信時、肌接触による着信報知モード自動切換が可能な携帯電話機の着信報知モード自動切換方法は、図１３に示すように、携帯電話機においてメニューを選択する(S310)。
【００７３】
次いで、メニューにおいて、呼出し着信時の報知モードを設定する(S330)。このような呼出し着信時の報知モードとしては、ベルを出力するベル出力モード、振動を出力する振動発生モード、照明を発生する照明発生モード、写真などの画像画面を表示出力する画面出力モード、及びベル音のみを無くす無音モードの少なくとも１つに設定することができる。また、肌接触時にベル出力を中止する場合、振動/写真/照明/無音モードのいずれかに動作するように設定する。
【００７４】
次いで、携帯電話機の通信モジュール３１０により、着信呼出しが受信されるか否かを判断する(S350)。
【００７５】
判断結果(S450)、着信呼出しが受信される場合、着信時の報知モードを検索する(S370)。
【００７６】
検索結果、振動/写真/照明/無音モードのいずれか１つに設定されたかを判断する(S390)。
【００７７】
判断結果(S390)、振動/写真/照明/無音モードのいずれか１つであると、設定されたモードで動作する(S410)。
【００７８】
しかし、判断結果(S390)、振動/写真/照明/無音モードのいずれか１つでないと、肌接触状態を判断する(S430)。
【００７９】
判断結果(S430)、肌が接触していると、振動モードで動作する(S450)。
【００８０】
しかし、判断結果(S430)、肌が接触していないと、ベルを出力する(S470)。
【００８１】
次いで、肌接触が感知されたかを判断する(S490)。 
【００８２】
判断結果(S490)、肌接触が感知されなかった場合、続けてベル出力を維持する(S470)。
【００８３】
しかし、判断結果(S490)、肌接触が感知されたら、ベル出力を中止し、設定されたモードで動作する(S510)。このような設定されたモードとしては、振動/写真/照明/無音モードのいずれか１つになり得る。
【００８４】
次いで、タイマーが設定されているかを判断する(S530)。換言すると、タイマーを設定することで、不要な肌接触、例えば、僅かに擦れた程度でベル出力モードが変更されることを防止することになる。
【００８５】
判断結果(S530)、タイマーが設定された場合、設定された時間の間、命令語入力を除く肌接触を無視する(S550)。これは、最近、タッチホン発売の傾向も反映したことである。
【００８６】
次いで、タイマーが経過したかを判断する(S570)。
【００８７】
判断結果(S570)、タイマーが経過したら、タッチ感知、即ち、肌接触に対する感知に戻る(S590)。
【００８８】
以上のような例として本発明を説明したが、本発明は、必ず、このような例に限定することでなく、本発明の技術思想を逸脱しない範囲内で様々に変形実施することができる。
【符号の説明】
【００８９】
100 : 電子機器モード切換装置        110 : 肌接触感知手段
111 : タイマー部                    120 : 論理回路手段
121 : 第１の論理回路部              122 : 第２の論理回路部
130 : モード切換手段                200 : 電子機器装置
210 : 電子機器装置モード切換手段    220 : 電源供給手段
230 : シャッター駆動手段            240 : 発熱板手段
250 : 便座発熱手段                  260 : ディスプレイ手段
270 : 発熱/送風手段                 280 : モータ手段
310 : 通信モジュール                320 : 格納部
330 : タッチ感知部                  340 : ベル出力部
350 : 振動発生部                    360 : 照明発生部
370 : 画面出力部                    380 : 制御部
390 : タイマー部                    400 : 携帯電話機
410 : 金属薄膜                      420 : 携帯電話機ケース
430 : 金属薄膜
【図１】
2011139434.tif 000003
【図２】
2011139434.tif 000004
【図３】
2011139434.tif 000005
【図４】
2011139434.tif 000006
【図５】
2011139434.tif 000007
【図６】
2011139434.tif 000008
【図７】
2011139434.tif 000009
【図８】
2011139434.tif 000010
【図９】
2011139434.tif 000011
【図１０】
2011139434.tif 000012
【図１１】
2011139434.tif 000013
【図１２】
2011139434.tif 000014
【図１３】
2011139434.tif 000015